(57)【要約】【課題】ケーブルの揺れがマイクロスコープシステムに影響を及ぼすのを抑制する。【解決手段】支柱5の左側面の上下方向中間部分に設けたクランパ20は、支持ロッド35を介して、支柱5の側面から離間した位置に設けられたクランパ本体21を有する。クランパ本体21は、メインハンド22とサブハンド23の２分割構造を有し、サブハンド23は縦軸24を中心に開閉可能である。クランパ本体21にはクッション材30,31が設けられ、クッション材30,31を介してケーブル11が弾性的に保持される。【選択図】図1
2008175893.tif 000002
【特許請求の範囲】
【請求項１】
マイクロスコープシステムのモニタを含むマイクロスコープ本体とケーブルを介して接続されるカメラユニットを支持するためのカメラ支持スタンドであって、
ベースと、
該ベースの後端から上方に延びる支柱と、
該支柱の側壁の高さ方向中間部分に片持ち状態で設けられて横方向に延びる支持ロッドと、
該支持ロッドの先端に設けられたクランパ本体とを有し、
該クランパ本体が、前記支持ロッドの先端に連結されたメインハンドと、該メインハンドに対して縦軸を中心に揺動可能なサブハンドとで構成され、
前記メインハンドと前記サブハンドには、夫々、クッション材が設けられて、前記サブハンドを閉じて前記メインハンドに固定することにより、前記ケーブルが前記支柱から離間した状態で前記クッション材を介して前記クランパ本体に保持されることを特徴とするカメラ支持スタンド。
【発明の詳細な説明】
【技術分野】
【０００１】
本発明は、映像による拡大観察を行うマイクロスコープに関し、より詳しくは、カメラを支持するためのスタンドに関する。
【背景技術】
【０００２】
従来からマイクロスコープシステムが知られており、一般的にはデジタルマイクロスコープと呼ばれている。マイクロスコープシステムは、対象物を撮像するカメラユニットと、モニタを含むマイクロスコープ本体と、カメラユニットとマイクロスコープ本体とを接続するケーブルとで概略構成されている。カメラユニットは、カメラに各種のレンズ、例えば高解度ズームレンズ、低倍率ズームレンズ、高倍率ズームレンズ、固定倍率レンズを組み付けた状態でユーザに提供される。
【０００３】
カメラユニットは、手で把持して操作可能であるが、一般的には支持スタンドに固定した状態で対象物の観察、撮影、計測などの作業が行われる。これに適した支持スタンドが特許文献１に開示されている。特許文献１に開示のカメラ支持スタンドの概要を説明すると、支持スタンドは、机などの上に載置されるベースと、該ベースの後端部から上方に延びる支柱とを有し、支柱に対してＺ軸方向（上下方向）に擦動可能なスライダにカメラユニットが固定される。カメラユニットの下方つまりカメラユニットのレンズ部分の下方には、Ｚ軸方向に擦動可能なステージ用スライダが配設され、このスライダに対してＸ、Ｙ軸方向に移動可能にステージが搭載され、複数のダイアルを操作することでカメラユニットの光軸(視野中心)とステージの回転中心とを一致させることができる。
【０００４】
なお、特許文献１に開示の支持スタンドは、上下方向に延びる支柱が途中で分割されて上方支柱が下方支柱に対して揺動可能な構造が採用されており、これにより斜めからの観察ができるようになっている。
【０００５】
特許文献１は、また、カメラユニットとマイクロスコープ本体とを接続するケーブルの支持構造を開示している。マイクロスコープシステムにおけるケーブルは、既知のように、照明光ライン、画像ライン等を内蔵しており、その直径も様々であるが、必ずしも柔軟とは呼べない程度の可撓性を備えている。特許文献１は、ケーブルの途中部分を保持するための拘束具を支持スタンドの下方支柱の背面に固設することを提案している。この拘束具は下方支柱に隣接した位置に設けられており、拘束具の上下に開放したC字状の形状部分に、これを上下に貫通した状態でケーブルが固定されるようになっている。
【０００６】
【特許文献１】特開２００６−３３７４７１号公報
【発明の開示】
【発明が解決しようとする課題】
【０００７】
マイクロスコープシステムは、年々、解像度や倍率が高くなり、また様々な処理が可能となっていることから、操作性の向上が要請されるだけでなく、振動に対する対策が求められる。すなわち、僅かな振動であっても、観察や時系列の処理に、その影響が顕著に表れるようになっており、これに対する対策が急務である。
【０００８】
振動対策として、支持スタンドは防振ゲルパッドなどの振動吸収能力に優れた防振用弾性体を介して机の上に載置される。これにより机や床を介した振動を弾性体によって吸収することができる。しかし、支持スタンドを防振ゲルパッドなどの弾性体を介して机の上に設置し、また、特許文献１に開示のように、ケーブルの途中部分をスタンドに固定したとしても振動対策としては十分ではないという問題を有していた。
【０００９】
かかる問題点に関して本願発明者らは様々な角度から検討した結果、振動対策に関して何ら注目されていなかったケーブルの僅かな揺れによっても、その影響が現れるとの知見を得て本願発明を案出するに至ったものである。ケーブルの揺れの原因として、例えばマイクロスコープ本体に設けた冷却用ファンの振動や、一般的にケーブルは、支持スタンドに設置されたカメラから垂れ下がって机の上を這った状態となった後にマイクロスコープ本体に接続されることから、机の僅かな振動、例えば人が歩く振動が机を介してケーブルに伝わる、空調エアがケーブルに当たってケーブルが揺れるなど種々の要因をケーブルの揺れの原因として挙げることができる。
【００１０】
本発明の目的は、マイクロスコープシステムのマイクロスコープ本体とカメラユニットとを接続するケーブルの揺れがマイクロスコープシステムに影響を及ぼすのを抑制することのできるカメラ支持スタンドを提供することにある。
【課題を解決するための手段】
【００１１】
上記の技術的課題は、本発明によれば、
マイクロスコープシステムのモニタを含むマイクロスコープ本体とケーブルを介して接続されるカメラユニットを支持するためのカメラ支持スタンドであって、
ベースと、
該ベースの後端から上方に延びる支柱と、
該支柱の側壁の高さ方向中間部分に片持ち状態で設けられて横方向に延びる支持ロッドと、
該支持ロッドの先端に設けられたクランパ本体とを有し、
該クランパ本体が、前記支持ロッドの先端に連結されたメインハンドと、該メインハンドに対して縦軸を中心に揺動可能なサブハンドとで構成され、
前記メインハンドと前記サブハンドには、夫々、クッション材が設けられて、前記サブハンドを閉じて前記メインハンドに固定することにより、前記ケーブルが前記支柱から離間した状態で前記クッション材を介して前記クランパ本体に保持されることを特徴とするカメラ支持スタンドを提供することにより達成される。
【００１２】
すなわち、カメラユニットの上端から延びて支柱の側方を垂下するケーブルの途中つまり支柱の高さ方向中間でケーブルを支柱の側壁から離間した状態で弾性的に支持するようにしてあるため、カメラユニットから一旦上方に延びた後屈曲して下方に延びてクランパ本体に至るケーブルの部分が、弛みを生じることなくケーブルが湾曲するのに適度な長さとなる。また、クランパ本体から机に至るケーブルの部分も、当該ケーブルの部分を支柱から極力離れるように下方に向けて斜め外方に湾曲させた状態でケーブルが机の上に載るようにするのに適度な長さとなる。これにより机から上方に立ち上がってカメラユニットの上端に接続されるケーブルの部分が空調エア等によって揺れるのを抑制しつつ不用意に支柱と緩衝してしまうのを防止できるだけでなく、当該ケーブルの部分が支柱に接近するのを、支柱から離間して配置したクランパ本体で規制することができる。また、クランパ本体に対してクッション材を介してケーブルを保持するようにしてあるため、このクッション材で、ケーブルの揺れを吸収することができる。したがって、ケーブルの揺れに起因するマイクロスコープシステムへの影響を抑制することができる。
【発明を実施するための最良の形態】
【００１３】
以下に、添付の図面に基づいて本発明の好ましい実施例を説明する。
【００１４】
図１は、実施例のマイクロスコープカメラ支持スタンドの正面図であり、図２はその左側面図である。
【００１５】
図１、図２を参照して、実施例のマイクロスコープカメラ支持スタンド１は、ベース２を有し、このベース２は、一般的に、防振ゲルパッドなどの振動吸収能力に優れた防振用弾性材３を介して机４の上に載置される。支持スタンド１は、ベース２の後端には上方に向けて延びる支柱５を有し、この支柱５はベース２と一体構造が採用されている。
【００１６】
支柱５には、Ｚ軸方向に擦動可能な粗動スライダ６が設けられ、この粗動スライダ６に対して更にＺ軸方向に擦動可能な微動スライダ７が設けられ、この微動スライダ７にマイクロスコープカメラユニット８が固定される。なお、図１、図２などにはカメラユニット８を微動スライダ７に固定する部材は従来と同様であるので、線図の錯綜を避けるために図示を省略してある。マイクロスコープカメラユニット８は、カラーＣＣＤカメラ本体９と、その下方に脱着可能に連結されたレンズ１０との組み合わせからなり、倍率や解像度などが異なる種々のカメラユニットがユーザに提供される。カラーＣＣＤカメラ本体９には、その上端にケーブル１１がコネクタ１２を介して接続され、ケーブル１１は、その他端が図外のマイクロスコープ本体（モニタ付きコントローラ）に接続される。ケーブル１１は、従来と同様に、ＣＣＤ画像ラインと照明光ラインとを絶縁シースで包囲し、更にその上をシールド線１１ａで包囲した形態を有し、ケーブル１１の直径は、マイクロスコープカメラユニット８の種類によって様々であるが、一般的に、直径１０mm〜４０mmの範囲にある。
【００１７】
図中、参照符号１３は、対象物を載置するためのステージを示し、ステージ１３はＸ、Ｙ、Ｚ軸方向に移動可能である。カメラユニット８と対象物との相対的な位置決めは、従来と同様に、粗動スライダ７などに設けられたダイアル類１４をユーザが操作することにより行うことができ、ユーザが操作するダイアル類１４は支持スタンド１の側面領域に配設されている。すなわち、支持スタンド１に対面したユーザは、ダイアル類１４を左右の手を使って操作することにより各種の調整及び位置決めが可能である。
【００１８】
支柱５の正面に向かってその左側面にクランパ２０が設けられている。クランパ２０は、支柱５の側面から離間した位置に設けられたクランパ本体２１を有し、クランパ本体２１は、前後に２分割された構造を有している。図３はクランパ２０及びこれに関連した構造を水平断面した図である。クランパ本体２１は、支柱５の前面側に位置して後方に向けて開放したコ字状断面のメインハンド２２と、支柱５の背面側に位置するＬ字状断面のサブハンド２３とを含み、サブハンド２３は、支柱５から遠のく側に位置して前方に向けて屈曲した外端屈曲部２３ａの前端が縦軸２４を介してメインハンド２２の外端屈曲部２２ａの後端部に連結されている。すなわち、サブハンド２３は、メインハンド２２の外端屈曲部２２ａに対して縦軸２４を介して水平面上を揺動可能にヒンジ止めされ、サブハンド２３を後方に開くことによりケーブル１１を受け入れることができる（図５）。図５は、支柱５を背面側から見た部分斜視図である。
【００１９】
クランパ２０の構造を示す図３を参照して、サブハンド２３の内端部つまり支柱５に近い側の端部には止めネジ２５が設けられ、この止めネジ２５を操作して、メインハンド２２の外端屈曲部２２ｂに形成されたネジ穴２６に止めネジ２５の先端部を螺合させることにより、サブハンド２３がメインハンド２２に固定することができる。
【００２０】
図３に示す参照符号３０、３１はクッション材を示し、これらクッション材３０、３１は、メインハンド２２、サブハンド２３に脱着可能に固定されている。クッション材３０、３１は、適当な外皮でゲルを包囲した部材であってもよいし、スポンジなどのフォーム部材であってもよく、この実施例では、高反発フォーム部材で構成されている。この実施例では、メインハンド側クッション材３０に凹所３０ａを形成し、サブハンド側クッション材３１には、凹所が設けられていないが、両方のクッション材３０、３１に凹所３０ａが設けられていてもよいのは勿論であり、或いは、両方のクッション材３０、３１に凹所３０ａを設けなくてもよい。
【００２１】
凹所３０ａを備えたメインハンド側クッション材３０とサブハンド側クッション材３１は、協働して凹所３０ａに挿入したケーブル１１を弾性的に拘束する。上述した直径１０mm〜４０mmの範囲のケーブル１１を弾性的に拘束できるように両方のクッション材３０、３１は、これに適した肉厚を有しているが、一方のクッション材３０又は３１を肉厚にし、他方のクッション材３１又は３０を肉薄に構成してもよいことは言うまでもない。また、限定的な範囲の直径のケーブル１１に適した専用のクッション材３０、３１を用意し、適用するケーブル１１の太さに応じて付け替えるようにしてもよい。
【００２２】
支柱５に対面するメインハンド２２の端面には支持ロッド３５が設けられ、この支持ロッド３５は支柱５に接近する方向に延びている。メインハンド２２と支持ロッド３５とは、この実施例では、リジッドに連結されているが、例えば、メインハンド２２と支持ロッド３５との間にゴムなどの弾性体を介在させてもよい。
【００２３】
支柱５は、正面から見たときに、前面壁５ａ、左側壁５ｂ、右側壁５ｃ、背面壁５ｄを有する断面矩形の中空形状を有し、背面壁５ｄは脱着可能である。左側壁５ｂには、その高さ方向中間部分に、上記支持ロッド３５が例えば円形断面を備えているときには、これに対応して円形の開口３６が設けられており、この開口３６に上記支持ロッド３５が挿通されている。開口３６は、支持ロッド２５の外径よりも僅かに大きな直径を備え、支持ロッド２５と開口３６との間にクリアランスＣが設けられている。すなわち支持ロッド２５は開口３６に遊嵌されている。この支持ロッド２５と開口３６との間、つまりクリアランスＣに例えばリング状のゴムなどのクッション材を設けてもよい。
【００２４】
支持ロッド３５は、圧縮コイルスプリング４０によって支柱５から脱出する方向に付勢され、また、支持ロッド３５の基端に固設されたストッパプレート４１を有し、ストッパプレート４１は左側壁５ｂの内面に係止されている。
【００２５】
如上の説明から分かるように、クランパ２０は、左側壁５ｂの開口３６に遊嵌され且つ開口３６から抜け出す方向にバネ付勢された支持ロッド３５の先端にクランパ本体２１を有しており、クランパ本体２１はクッション材３０、３１を介してケーブル１１を保持する構成が採用されている。この構成により、何らかの原因でケーブル１１に揺れが発生したとしても、このケーブル１１の揺れはクッション材３０、３１によって吸収され、このケーブル１１の揺れが支柱５に伝達してしまうのを抑制することができる。
【００２６】
なお、クランパ２０のクランパ本体２１は支柱５の左側壁５ｂ側に配置した例を上述したが、右側壁５ｃ側に設けてもよく、また、支柱５の背面壁５ｄに設けてもよいことは言うまでもない。また、支柱５が矩形断面の例を上述したが、この断面形状に限定されるものではなく、例えば支柱５の横断面の形状は円形、楕円などであってもよい。すなわち、支柱５の横断面形状がいかなるものであれ、支柱５の前方を除く周囲に支柱５から支持ロッド３５を介して離間した状態でクランパ本体２１が設けられる。支柱５からクランパ本体２１の離間距離Ｘ（図１）は、例えば支柱５の側方領域にクランパ本体２１を設けるのであれば、例えばマイクロスコープカメラ支持スタンド１のベース２が支柱５よりも側方に突出しているのであれば、このベース２の側縁よりも外方に位置するのがよい。他の視点でクランパ本体２１の離間距離を規定すれば、クランパ本体２１に支持されたケーブル１１がクランパ本体２１から垂れ下がって机４の上に載るまでの間に支持スタンド１と触れる可能性を低減又は可能性を無くすることのできる距離であるのがよく、クランパ本体２１を支柱５の側方領域に設けるのであれば、クランパ本体２１に拘束されたケーブル１１が支柱５から例えば２cm〜１５cm離間、好ましくは５cm〜１５cm離間、更に好ましくは１０cm〜１５cm離間しているのがよい。他方、支柱５の（水平面で斜め後方を含む）後方領域にクランパ本体２１を配設するのであれば、クランパ本体２１に拘束されたケーブル１１が支柱５から例えば２cm〜１５cm離間、好ましくは５cm〜１５cm離間、更に好ましくは１０cm〜１５cm離間しているのがよい。
【００２７】
このように支柱５から支持ロッド３５によって片持ち状態でクランパ本体２１を配置することにより、クランパ本体２１に弾性的に拘束されたケーブル１１に何らの原因で揺れが発生したとしても、ケーブル１１が直接的に支柱５に接することを抑制しつつケーブル１１の揺れを吸収することができる。
【００２８】
支持ロッド３５は、好ましくは開口３６に遊嵌され且つ開口３６から脱出方向にバネ付勢されているため、この構成によりケーブル１１の揺れが支柱５に伝達されてしまうのを抑制することができる。なお、圧縮コイルスプリング４０の端を支持ロッド３５の端面と係合させた例を図示してあるが、相対的に大きな直径の圧縮コイルスプリング４０を設けることで、この圧縮コイルスプリング４０をストッパプレート４１に係止させるようにしてもよい。
【００２９】
また、クランパ本体２１に拘束されたケーブル１１は、クランパ本体２１が支柱５の高さ方向中間部分に位置決めされていることから、適度な長さの支持ロッド３５を採用することにより、クランパ本体２１から上方に延びた後下方に湾曲したクランパ本体２１に至るケーブル１１の部分やクランパ本体２１から下方に垂下して机の上に載るまでのケーブル１１の部分が支柱５やベース２に触れる可能性を無くすることができる。例えば、クランパ本体２１を支柱５の上端部に位置決めしたときには、クランパ本体２１から垂れ下がって机４の上に載るまでのケーブル１１の部分の長さが長くなり、机４に至るケーブル１１の垂下部分の位置の自由度が大きくなり過ぎて、ケーブル１１がクランパ本体２１から垂下する部分が支柱５の下端部又はベース２と接触してしまう可能性が大きくなると共にカメラユニット８の上端からクランパ本体２１に至る距離が小さくなってケーブル１１の曲がりに無理が生じ易くなる。他方、クランパ本体２１を支柱５の下端部に位置決めしたときには、カメラユニット８から一旦上方に延びた後屈曲して下方に延びてクランパ本体２１に至るケーブル１１の部分が長くなり過ぎて当該部分で弛みが生じ易くなり、これが原因でケーブルの揺れが大きくなる可能性がある。これに対して、クランパ本体２１を支柱５の高さ方向中間部分に位置決めすることにより、クランパ本体２１からカメラユニット８までの距離及びクランパ本体２１から垂下するケーブル１１の距離が適当になる。
【００３０】
カメラ支持スタンド１のクランパ２０は、クランパ本体２１を上述した支柱５から側方領域又は後方領域に離間した状態でケーブル１１を保持するケーブル保持位置と、クランパ本体２１を支柱５に接近させた格納位置との間で可動であるのがよい。例えば、支持ロッド３５を支柱５に対して上下に揺動可能な構造を採用して、スタンド１を使わないときには、支持ロッド３５を倒して格納位置をとらせるようにしてもよいが、好ましい形態として、支持ロッド３５がその軸線方向に移動して支柱５の中に侵入することで格納位置をとらせるのがよい。
【００３１】
図３は、支持ロッド３５が支柱５から横方向に出没可能にすることで、上述したケーブル保持位置と格納位置の２つの位置をとることのできる構造を示すものである。
【００３２】
図３から分かるように、支持ロッド３５は中空体であり、その外形形状は断面円形であってもよいし、多角形であってもよい。この中空支持ロッド３５は、大径中空部分３５ａと、基端部に設けられた小径中空部分３５ｂとで構成されている。中空支持ロッド３５は、外方部分として大径中空部分３５ａを採用することにより中空支持ロッド３５の外方部分が軽量化されている。基端部の小径中空部分３５ｂは小径孔４３を備え、この小径孔４３にこれよりも若干小径の外形形状を有するガイドロッド４４が遊嵌されている。小径孔４３に挿入されたガイドロッド４４は軸線方向に自由に移動可能である。
【００３３】
ガイドロッド４４は、クランパ本体２１が配設される左側壁５ｂと対抗する右側壁５ｃに固設されている。すなわち、ガイドロッド４４は、クランパ本体２１が配設される側の壁５ｂに対抗する壁５ｃに回転不能に設けられている。ガイドロッド４４は、その断面形状が多角形、具体的には断面六角形であり、これに対応して小径孔４３も断面六角形であり、これにより中空支持ロッド３５がその軸線回りに回転するのが規制されている。勿論、ガイドロッド４４及びこの断面形状に対応した小径孔４３の形状は、中空支持ロッド３５の軸線回りの回転を規制できるのであれば断面形状は任意の非円形の形状を選択することができる。変形例として、ガイドロッド４４及び小径孔４３の形状として断面円形を選択したときには、支持ロッド３５及びこの断面形状に対応した開口３６の形状として任意の非円形の形状を選択することで、支持ロッド３５の軸線回りの回転を規制することができる。
【００３４】
上記の構造を採用することにより、支持ロッド３５は、ガイドロッド４４に案内されて軸線方向に変位することにより、クランパ本体２１が支柱５から離間したケーブル保持位置（図３）と、支柱５に接近した格納位置（図４）とをとることができる。
【００３５】
図３及び図４の一点鎖線は、ハートカム構造を含むプッシュプッシュ式の進退機構のカムプレート５０を示す。この種のプッシュプッシュ式進退機構は例えば特開２００６−１０８１１８号公報にも見られるように周知であるので、その詳しい説明は省略して、ここで採用したプッシュプッシュ式進退機構の概要を説明する。
【００３６】
プッシュプッシュ式進退機構のカムプレート５０は、図６に示すように、一筆書きのカム溝５１を有しており、このカム溝５１には、例えば支持ロッド３５の基端に固設したストッパプレートＳＰから突出したピン部材５２が挿入される。
【００３７】
支持ロッド３５は、前述したように、圧縮コイルスプリング４０によって伸長方向に付勢されていることから、ケーブル保持位置（図３）にあるクランパ本体２１をその軸線方向に押すと、これに連動してピン部材５２が図６の矢印方向に移動して、カム溝５１のハートカム部５１ａの係止部分５１ｂで係止され、この状態で維持される。そして、この状態では、クランパ本体２１は格納位置（図４）に位置決めされる。図３、図４の参照符号Ｒはゴムなどの緩衝材であり、ユーザがクランパ本体２１を押す操作に際して、クランパ本体２１が支柱５の左側面５ｂと衝突するのを緩衝するために設けられている。クランパ本体２１を格納位置に位置決めすることにより、例えば支持スタンド１を移動させたり支持スタンド１を搬送したり、或いは長期間に亘って支持スタンド１を使用しないときには箱に入れて保管するのに都合が良い。
【００３８】
格納位置にあるクランパ本体２１をその軸線方向に押すと、これに連動してピン部材５２がハートカム部５１ａの係止部分５１ｂから離れて矢印方向に進行して、図６に黒印で示す位置まで戻る。この位置では、クランパ本体２１はケーブル保持位置（図３）をとる。
【００３９】
図７〜図９は、上述した実施の形態の具体例を示すものであり、これに含まれる各種の要素に上述した参照符号を付すことによりその説明を省略する。なお、図９は、支柱５の背面及びベース２の背面を開放した状態で示す背面図であり、支柱５、ベース２、クランパ２０以外の部材は線図の錯綜を避けるために図示を省いてあると共にガイドロッド４４の周囲に配設した圧縮コイルスプリング４０の図示を省いてある。
【００４０】
図７に、クランパ２０の突出位置に関し、ベース２の側縁から鉛直線を一点鎖線で示してあるが、クランパ２０の突出位置は、平面視したときに、クランパ２０の内端がベース２の縁部とオーバーラップする位置に設定されている。これについて説明すると、支持ロッド３５の長さ寸法を延長してクランパ２０が、平面視したときにベース２の縁から外方に離間した位置に設定した場合には、支持スタンド１の設置スペースつまり支持スタンド１の実質的な専有面積が大きくなるだけでなく、ケーブル１１を保持したクランパ２０の重量によって支持スタンド１の安定性を悪化させてしまう可能性がある。これに対して、支持ロッド３５の長さ寸法を短縮してクランパ２０が平面視したときにベース２と大きくオーバーラップする位置までクランパ２０の配置位置を支柱５に接近させたときには、クランパ２０から垂下するケーブル１１がベース２と干渉してしまう可能性が大きくなってしまいケーブル１１の揺れが支持スタンド１に伝わり易くなってしまう。
【００４１】
これに対して、クランパ２０によってケーブル１１が鉛直方向に向けて保持される場合には、図７から理解できるように、クランパ２０の突出位置を、平面視したときに、クランパ２０の内端がベース２の縁部とオーバーラップする位置に設定することにより、支持スタンド１１の安定性の確保及び設置スペースの適正化と、ケーブル１１の揺れによる問題の解決との両立を図ることができる。なお、このことは、クランパ２０を支柱５の側方に配置した場合に限らず、支柱５の後方に配置した場合でも同様である。変形例として、クランパ２０がケーブル１１を鉛直方向から傾斜した状態で保持する場合には、例えば、クランパ２０によって保持されるケーブル１１が、上から下に向けて斜め外方に傾斜して保持される場合には、図７の配置位置に比べて、クランパ２０を支柱５に接近させて配置してもよいことは言うまでもない。
【００４２】
また、上述した実施例では、好ましい態様としてクランパ２０の内端がベース２の縁部とオーバーラップする位置に設定したが、支持スタンド１の安定性や設置スペースの適正化しつつ、ケーブル１１がベース２と干渉することによりケーブル１１の揺れが支持スタンド１に伝わってしまうという問題を回避できる範囲で、ベース２の幅、ケーブル１１の可撓性を考慮してクランパ２０の突出位置を設定するのが良い、ということは言うまでもない。
【図面の簡単な説明】
【００４３】
【図１】実施例のカメラ支持スタンドの正面図である。
【図２】実施例のカメラ支持スタンド図である。
【図３】カメラ支持スタンドの左側壁に設置したクランパの断面構造を説明するための図であり、ケーブル保持位置のクランパ本体を示す。
【図４】カメラ支持スタンドの左側壁に設置したクランパの断面構造を説明するための図であり、格納位置のクランパ本体を示す。
【図５】クランパを斜め後方から見た図である。
【図６】実施例で採用したハートカムを備えたプッシュプッシュ式の進退機構に採用されたカムプレートの正面図である。
【図７】具体例のカメラ支持スタンドの正面図である。
【図８】具体例のカメラ支持スタンドを斜め前方から見た斜視図である。
【図９】背面壁を取り外した状態の具体例のカメラ支持スタンドを斜め後方から見た図である。
【符号の説明】
【００４４】
１    カメラ支持スタンド
２    ベース
５    支柱
８    カラーＣＣＤカメラユニット
９    カメラ本体
１０    レンズ
１１    ケーブル
１２    コネクタ
２０    クランパ
２１    クランパ本体
２２    メインハンド
２３    サブハンド
２４    縦軸
２５    止めネジ
３０    メインハンド側クッション材
３１    サブハンド側クッション材
３５    支持ロッド
３６    支持ロッドが挿通される開口
４０    圧縮コイルスプリング
４１    ストッパプレート
５０    カムプレート（プッシュプッシュ式進退機構）
５１ａ  ハートカム部
５２    ピン部材
【図１】
2008175893.tif 000003
【図２】
2008175893.tif 000004
【図３】
2008175893.tif 000005
【図４】
2008175893.tif 000006
【図５】
2008175893.tif 000007
【図６】
2008175893.tif 000008
【図７】
2008175893.tif 000009
【図８】
2008175893.tif 000010
【図９】
2008175893.tif 000011